(57)【特許請求の範囲】
【請求項１】
バックル装置に係合する係合部が前端縁部の略中央位置から突出して設けられると共に、長手方向に折り曲げ返されたウエビングの折り返し部分が挿通される挿通孔が略中央部に形成されたタングプレートと、
前記タングプレートが収納されて該タングプレートの挿通孔に対向する位置にウエビングが挿通される貫通孔が形成されると共に、前記係合部が挿通されるスリット孔が前端縁部に形成された略箱体状の収納ケースと、
前記ウエビングの折り返し部分が巻き掛けられて、前記タングプレートの挿通孔を跨いだ状態で該タングプレートの前後方向にスライド移動可能に配置されたストッパバーと、
前記ストッパバーの長手方向両端部の前記係合部側端面に当接して該ストッパバーを後側方向へスライド移動させるように付勢する付勢手段と、
を備え、
前記収納ケースは、前記ストッパバーに巻き掛けられたウエビングに対向する内側面に該ウエビングを押圧するように前後方向に沿って立設された複数のリブを有し、
前記複数のリブは、該ストッパバーのスライド方向に対して直交する方向に互いに平行となるように配置され、
前記ストッパバーが、前記付勢手段によって前記複数のリブに向かって付勢されて、前記ストッパバーに巻き掛けられた前記ウエビングは、前記複数のリブに当接し、
前記複数のリブは、前記ストッパバーに巻き掛けられたウエビングを押圧する前記収納ケースの斜め前側へ延出された斜面部を有し、
前記ウエビングに前記タングプレートの後方側へ張力が作用した際に、前記ストッパバーが前記複数のリブに向かって更に押動されて、該ストッパバーの後端縁部が前記斜面部を超えて、前記ストッパバーに巻き掛けられたウエビングが前記複数のリブの前記斜面部の後側に続く水平部と前記ストッパバーの後端縁部との間で挟持されることを特徴とするタング。
【請求項２】
前記複数のリブは、前記斜面部の前側端縁部から前記付勢手段によって後側方向へ付勢されたストッパバーに対向する平面部を有することを特徴とする請求項１に記載のタング。
【発明の詳細な説明】
【技術分野】
【０００１】
本発明は、ウエビングに連結されてバックル装置に着脱可能に係合されるタングに関するものである。
【背景技術】
【０００２】
従来より、ウエビングに連結されてバックル装置に着脱可能に係合されるタングに関して種々提案されている。
例えば、プラスチックのケーシングで覆われた長さ調節装置において、底板の中央部に長孔を穿設すると共に、底板の前部両側に起立片を設け、この長孔上に調節レバーを前後に摺動自在に架設する。【０００３】
そして、ウエビングを底板の下方から長孔を貫通させ、調節レバーの前方から上方を経て後方へ巻回し、この調節レバーの後ろから再度長孔を貫通させて下方へ引き出す。また、この調節レバーの前方に該調節バーと平行な補助バーを前後に摺動自在に設け、該補助バーと起立片との間にばねを介装し、このばねの弾力により補助バーと調節バーとの間にウエビングを挟圧すると共に、補助バーを介して調節バーを後方へ片寄せするように構成されたシートベルトのウエビング長さ調節装置がある（例えば、実公平２−３２５２６号公報参照。）。
【発明の概要】
【発明が解決しようとする課題】
【０００４】
上述した従来のシートベルトのウエビング長さ調節装置では、ウエビングが補助バーと調節バーとの間に常時、挟圧されるため、シートベルト着用時における乗員の前方への移動等に伴って、ウエビングに断続的に張力が加わることによってウエビングが僅かずつ滑ること（以下、「マイクロスリップ」という。）を防止することができる。
しかしながら、上記シートベルトのウエビング長さ調節装置では、補助バーを調節バーの前方に摺動可能に配置する必要があるため、部品点数が増加するという問題が有る。【０００５】
そこで、本発明は、上述した問題点を解決するためになされたものであり、部品点数の削減化を図ると共に、マイクロスリップを防止することができるタングを提供することを目的とする。
【課題を解決するための手段】
【０００６】
前記目的を達成するため本発明のタングは、バックル装置に係合する係合部が前端縁部の略中央位置から突出して設けられると共に、長手方向に折り曲げ返されたウエビングの折り返し部分が挿通される挿通孔が略中央部に形成されたタングプレートと、前記タングプレートが収納されて該タングプレートの挿通孔に対向する位置にウエビングが挿通される貫通孔が形成されると共に、前記係合部が挿通されるスリット孔が前端縁部に形成された略箱体状の収納ケースと、前記ウエビングの折り返し部分が巻き掛けられて、前記タングプレートの挿通孔を跨いだ状態で該タングプレートの前後方向にスライド移動可能に配置されたストッパバーと、前記ストッパバーの長手方向両端部の前記係合部側端面に当接して該ストッパバーを後側方向へスライド移動させるように付勢する付勢手段と、を備え、前記収納ケースは、前記ストッパバーに巻き掛けられたウエビングに対向する内側面に該ウエビングを押圧するように前後方向に沿って立設された複数のリブを有し、前記複数のリブは、該ストッパバーのスライド方向に対して直交する方向に互いに平行となるように配置され、前記ストッパバーが、前記付勢手段によって前記複数のリブに向かって付勢されて、前記ストッパバーに巻き掛けられた前記ウエビングは、前記複数のリブに当接し、前記複数のリブは、前記ストッパバーに巻き掛けられたウエビングを押圧する前記収納ケースの斜め前側へ延出された斜面部を有し、前記ウエビングに前記タングプレートの後方側へ張力が作用した際に、前記ストッパバーが前記複数のリブに向かって更に押動されて、該ストッパバーの後端縁部が前記斜面部を超えて、前記ストッパバーに巻き掛けられたウエビングが前記複数のリブの前記斜面部の後側に続く水平部と前記ストッパバーの後端縁部との間で挟持されることを特徴とする。
【０００７】
このようなタングでは、ウエビングが巻回されたストッパバーが、収納ケース内に収納された場合には、付勢手段によって後側方向へ付勢されている。このため、ウエビングに張力が掛かっていない時には、付勢手段によって後側方向へ付勢されたストッパバーに巻き掛けられたウエビングの折り返し部分は、収納ケースの内側面に立設された複数のリブの斜め前側へ延出された斜面部とストッパバーとの間でリブに当接するように付勢され、マイクロスリップを防止することができる。また、収納ケースの内側面に立設された複数のリブは、前後方向に沿って立設されるため、ウエビングの長さを調節する際には、スムーズに行うことが可能となる。
【０００８】
また、ストッパバーは、付勢手段によって後側方向に付勢されているため、ウエビングに張力が掛かった時には、ストッパバーが複数のリブ側方向へ更に押動されて、該ストッパバーの後端縁部が、該複数のリブの斜め前側へ延出された斜面部を超えて、ストッパバーに巻き掛けられたウエビングの折り返し部分が、該複数のリブの斜め前側へ延出された斜面部の後側に続く水平部とストッパバーの後端縁部との間で挟持される。これにより、ストッパバーに巻き掛けられたウエビングの折り返し部分を、複数のリブの斜め前側へ延出された斜面部の後側に続く水平部と該ストップバーとの間に確実に挟持して、効果的に保持することができ、マイクロスリップを一層効果的に防止することができる。また、ストッパバーと付勢手段を収納ケース内に配置すればよいため、部品点数を削減することができる。
【００１１】
更に、前記本発明のタングにおいて、前記複数のリブは、前記斜面部の前側端縁部から前記付勢手段によって後側方向へ付勢されたストッパバーに対向する平面部を有するようにしてもよい。【００１２】
このようなタングでは、複数のリブは、斜面部の前側端縁部から付勢手段によって後側方向へ付勢されたストッパバーに対向する平面部を有するように形成されるため、複数のリブを長くすることができ、収納ケースの強度の向上を図ることができる。
【図面の簡単な説明】
【００１３】
【図１】本実施形態に係るタングの分解斜視図である。
【図２】タングを構成するタングプレートの背面図である。
【図３】タングプレートの底面図である。
【図４】タングプレートの側面図である。
【図５】タングプレートの図３におけるＡ−Ａ矢視断面図である。
【図６】タングを構成するストッパバーの平面図である。
【図７】ストッパバーの図６におけるＢ−Ｂ線断面図である。
【図８】タングを構成する収納ケースに捩りコイルバネを配置するとともに蓋部を開放して示す収納ケースの平面図である。
【図９】収納ケースの側面図である。
【図１０】収納ケースの図８におけるＣ−Ｃ線断面図である。
【図１１】収納ケースの図８におけるＤ−Ｄ線断面図である。
【図１２】タングの内部の一部を透視して模式的に示すタングの説明図である。
【図１３】ウエビングに負荷がかかっていない無負荷時におけるタングの模式断面図である。
【図１４】ウエビングに荷重がかかった荷重負荷時におけるタングの模式断面図である。
【図１５】他の実施形態に係るタングに使用される収納ケースの斜視図である。
【図１６】他の実施形態に係るタングに使用される収納ケースの平面図である。
【発明を実施するための形態】
【００１４】
以下、本発明に係るタングについて具体化した一実施形態に基づき図面を参照しつつ詳細に説明する。
本実施形態に係るタング１は、図１に示すように、タングプレート２、ストッパバー３及び収納ケース４から基本的に構成されている。
【００１５】
タングプレート２について、図１乃至図５に基づき説明する。タングプレート２は、基本的に、略矩形状のプレート本体２Ａ、プレート本体２Ａにおける前端縁部２Ｂの略中央位置から前方に向かって突出して設けられた係合部２Ｃ、及び、プレート本体２Ａの略中央部に形成された挿通孔２Ｄから構成されている。
【００１６】
ここに、係合部２Ｃは、図１中、前端縁部２Ｂから下方に傾斜して延出された傾斜部２Ｅを有し、また、傾斜部２Ｅから水平方向に延出された水平部２Ｆを有している。水平部２Ｆには、バックルＢ（図１３、図１４参照）の係合部材が係合される矩形状の係合孔２Ｇが形成されている。また、挿通孔２Ｄには、図１に示すように、ウエビングＷが長手方向に折り曲げ返された後の部分Ｗ１が挿通される。
【００１７】
尚、プレート本体２Ａの長手方向の両端部からは、一対の垂下部２Ｈが設けられている。かかる垂下部２Ｈの下端から前側に向かって突出形成された一対の突起部２Ｉは、収納ケース４の前側に形成された凹部（図示せず）に挿嵌位置決めされ、また同様に、垂下部２Ｈの下端から後側に向かって突出形成された一対の突起部２Ｊは、収納ケース４の後側に形成された凹部（図示せず）に挿嵌位置決めされる。
【００１８】
また、各垂下部２Ｈの内側には、図２に示すように、後述するストッパバー３をプレート本体２Ａの前後方向にスライド移動可能に案内するスライド移動案内部２Ｋが形成されている。
【００１９】
ストッパバー３は、図１、図６及び図７に示すように、ウエビングＷの折り返し部分Ｗ２が巻き掛けられるウエビング支持部３Ａと、ウエビング支持部３Ａの両端部から前側に突出形成された案内支持部３Ｂとから構成されている。
【００２０】
ウエビング支持部３Ａには、図７に示すように、後側に向かって下方に傾斜する傾斜部３Ｃが形成されている。また、案内支持部３Ｂは、前記タングプレート２のスライド移動案内部２Ｋ上に配置され、これによりストッパバー３は、タングプレート２の挿通孔２Ｄを跨いだ状態でタングプレート２の前後方向に沿ってスライド移動可能に配置されることとなる。
【００２１】
収納ケース４は、前記タングプレート２のプレート本体２Ａを収納するケースであり、箱体状に形成された収納本体４Ａ及び蓋部材４Ｂが一対の連結部４Ｃを介して開閉可能に一体形成されている。収納本体４Ａには、その前後方向に沿って後壁から底壁に至る内側面で連続するように複数のリブ４Ｄが立設されている。
【００２２】
また、収納本体４Ａの前端縁部４Ｅと蓋部４Ｂの端部４Ｆとの間で、且つ、各連結部４Ｃとの間には、間隙４Ｇが形成されており、かかる間隙４Ｇは、蓋部材４Ｂを収納本体４Ａに閉じた際に、前記タングプレート２の係合部２Ｃが挿通されるスリット孔４Ｈとなる（図１２参照）。
【００２３】
収納本体４Ａの前端側には、２つのバネ支持部４Ｉが設けられており、各バネ支持部４Ｉには、捩りコイルバネ５、５が配置されている。捩りコイルバネ５の一端部５Ａは、図８に示すように、収納本体４Ａの前端縁部４Ｅの内壁に係合され、他端部５Ｂは自由端部となっている。そして、各捩りコイルバネ５の他端部５Ｂは、ストッパバー３の案内支持部３Ｂの前端面に当接係合される（図１２参照）。これにより、各捩りコイルバネ５は、その弾性力に基づきストッパバー３を後側方向へ付勢してスライド移動させる。
【００２４】
また、蓋部材４Ｂには、タングプレート２の挿通孔２Ｄに対向する位置に、ウエビングＷが挿通される貫通孔４Ｊが形成されており、ウエビングＷは蓋部材４Ｂの貫通孔４Ｊを挿通されるとともにタングプレート２の挿通孔２Ｄを挿通される。
【００２５】
尚、収納本体４Ａにおいて、その後壁４Ｐには３つの弾性係止片４Ｑ及び弾性係止片４Ｑの間に２つの係止部４Ｒが形成され、また、その一対の側壁４Sのそれぞれには係止溝４Ｔが形成されている。また、蓋部材４Ｂには、収納本体４Ａの各弾性係止片４Ｑに対応して３つの係止部４Ｕ及び収納本体４Ａの各係止部４Ｒに対応して２つの弾性係止片４Ｖが形成され、また、収納本体４Ａの各係止溝４Ｔに対応して弾性係止片４Ｗが形成されている。
【００２６】
従って、図１２に示すように、ウエビングＷが巻き掛けられたストッパバー３が装着されたタングプレート２の係合部２Ｃを収納本体４Ａのスリット孔４Ｈに挿通する。そして、タングプレート２に装着されたストッパバー３の案内支持部３Ｂの前端面に各捩りコイルバネ５の他端部５Ｂを当接させて、タングプレート２のプレート本体２Ａを収納本体４Ａ内に押し込むことにより、プレート本体２Ａの後端縁部が各弾性係止片４Ｑに弾性的に係合され、タングプレート２が収納本体４Ａ内に固定される。
【００２７】
そして、各連結部４Ｃを介して蓋部材４Ｂを回動させて収納本体４Ａに対して閉じると、各弾性係止片４Ｖは各係止部４Ｒに弾性係合し、更に、各弾性係止片４Ｗは各係止溝４Ｔに弾性係合する。このように、蓋部材４Ｂを収納本体４Ａに対してワンタッチで閉じるだけで各弾性係止片と各係合部とを弾性係合させることができ、タングプレート２を収納した状態で収納ケース４を簡単に組み立てることが可能となる。
【００２８】
ここで、収納ケース４の収納本体４Ａに形成された各リブ４Ｄの構成について説明する。各リブ４Ｄは、ストッパバー３のスライド方向と直交する方向に互いに平行な関係となるように、配置されている。
【００２９】
また、各リブ４Ｄは、図１０、図１１に示すように、収納本体４Ａの後壁から底壁にいくに従って、第１傾斜部４Ｋ、第１水平部４Ｌ、第２傾斜部４Ｍ及び第２水平部４Ｎを有する。これらの内、第２傾斜部４Ｍは、第１水平部４Ｌから前側に向かって下方に延出された傾斜面を有しており、かかる第２傾斜部４Ｍは、ストッパバー３のウエビング支持部３Ａに巻き掛けられたウエビングＷの折り返し部分Ｗ２を押圧する。更に、平面状の第２水平部４Ｎは、ストッパバー３が前記各捩りコイルバネ５により後側方向に付勢された状態で、ストッパバー３に対向する。
【００３０】
前記のように構成されたタング１において、タングプレート２の係合部２ＣがバックルＢに係合している状態でウエビングＷに負荷がかかっていない状態では、図１３に示すように、ストッパバー３のウエビング支持部３Ａに巻き掛けられたウエビングＷの折り返し部分Ｗ２は、ストッパバー３の両側で２つの捩りコイルバネ５を介して各リブ４Ｄ側に向かって付勢されていることに基づき、ストッパバー３と各リブ４Ｄの第２傾斜部４Ｍとの間でリブ４Ｄに当接するように付勢される。これにより、ウエビングＷのマイクロスリップを効果的に防止することができる。
【００３１】
これに対して、タングプレート２の係合部２ＣがバックルＢに係合している状態でウエビングＷに張力がかかることに基づきウエビングＷに負荷がかかった荷重負荷時においては、図１４に示すように、ストッパバー３が各リブ４Ｄの方向へ更に押動されることとなり、ウエビングＷは各リブ４Ｄの第２傾斜部４Ｍに対して強く押圧されることにより、更にくい込んだ状態となる。これにより、ウエビングＷを効果的に保持することができる。
【００３２】
以上説明した通り本実施形態に係るタング１では、ウエビングＷが巻回されたストッパバー３が、収納ケース４内に収納された場合、各捩りコイルバネ５によって後側方向へ付勢されている。このため、ウエビングＷは、収納ケース４の後壁から底壁に至る内側面にて連続的に立設された複数のリブ４Ｄとストップバー３との間で各リブ４Ｄに当接するように付勢されるため、マイクロスリップを防止することができる。また、収納ケース４の収納本体４Ａにおける後壁から底壁に至る内側面に立設された複数のリブ４Ｄは、収納ケース４の前後方向に沿って立設されるため、ウエビングＷの長さを調節する際には、スムーズに行うことが可能となる。
【００３３】
また、ストッパバー３は、各捩りコイルバネ５によって後側方向に付勢されているため、ウエビングＷに張力が掛かった時には、ストッパバー３が複数のリブ４Ｄ側方向へ更に押動される。このため、ストッパバー３に巻き掛けられたウエビングＷが該複数のリブ４Ｄに強く押さえつけられるため、ウエビングＷが複数のリブ４Ｄにくい込むことで、ウエビングＷを確実に保持することができる。また、ストッパバー３と各捩りコイルバネ５を収納ケース４内に配置すればよいため、部品点数を削減することができる。
【００３４】
また、前記タング１では、各捩りコイルバネ５によって後側方向へ付勢されたストッパバー３に巻き掛けられたウエビングＷは、収納ケース４における収納本体４Ａの後壁から底壁に至る内側面に立設された複数のリブ４Ｄの第２斜面部を４Ｍによって、更に効果的に押圧される。これにより、ストッパバー３に巻き掛けられたウエビングＷを複数のリブ４Ｄと該ストップバー３との間に確実に挟持して、マイクロスリップを確実に防止することができる。
【００３５】
また、前記タング１では、複数のリブ４Ｄは、第２傾斜部４Ｍの前側端縁部から各捩りコイルバネ５によって後側方向へ付勢されたストッパバー３に対向する平面状の第２水平部４Ｎを有するように形成されるため、複数のリブ４Ｄを長くすることができ、収納ケース４の強度の向上を図ることができる。
【００３６】
尚、本発明は前記実施形態に限定されるものではなく、本発明の要旨を逸脱しない範囲内で種々の改良、変形が可能であることは勿論である。
【００３７】
前記実施形態に係るタング１における収納ケース４では、その収納本体４Ａの後壁から底壁に至る内側面に、複数のリブ４Ｄが相互に平行関係を保持するとともに収納本体４Ａの前後方向に沿って直線状に形成されているが、これに限定されることはない。例えば、図１５及び図１６に示すように、収納本体４Ａをその略中央部で２分割し、分割された各エリアにおいて各リブ４Ｄにおける第１傾斜部４Ｋ、第１水平部４Ｌ及び第２傾斜部４Ｍを中央部に向かって斜めに形成するとともに、第２水平部４Ｎを相互に平行となるように形成してもよい。
【図１】
0005926678.tif 000002
【図２】
0005926678.tif 000003
【図３】
0005926678.tif 000004
【図４】
0005926678.tif 000005
【図５】
0005926678.tif 000006
【図６】
0005926678.tif 000007
【図７】
0005926678.tif 000008
【図８】
0005926678.tif 000009
【図９】
0005926678.tif 000010
【図１０】
0005926678.tif 000011
【図１１】
0005926678.tif 000012
【図１２】
0005926678.tif 000013
【図１３】
0005926678.tif 000014
【図１４】
0005926678.tif 000015
【図１５】
0005926678.tif 000016
【図１６】
0005926678.tif 000017